(57)【要約】【課題】柔軟な容器に現像剤を収納するタイプであっても、この柔軟な容器をセットした時、情報記録部が現像剤による汚染を受けることなく、画像形成装置本体に確実に導通状態となる現像剤収納容器を有する現像剤補給装置及びこれを備えた画像形成装置を提供することにある。【解決手段】現像剤を収納する柔軟な材料で形成された袋状の現像剤収納体５９を有し、内容物の減少によって該現像剤収納体５９が容積を減じる現像剤収納容器５８を備える現像剤補給装置において、前記現像剤収納体５９が少なくとも１つの平面部５９ａを有し、該平面部５９ａに画像形成装置本体により読み取られる情報を記録する情報記録部７７が設けられており、前記現像剤収納容器５８を収容しかつ前記画像形成装置本体に対して前記現像剤収納体５９の前記平面部５９ａを固定する固定部材９０が設けられている現像剤補給装置。【選択図】図４
2009258445.tif 000002
【特許請求の範囲】
【請求項１】
柔軟な材料で形成され内容物の減少によって容積を減じる袋状の現像剤収納体を備える現像剤補給装置において、
前記現像剤収納体が少なくとも１つの平面部を有し、該平面部に画像形成装置本体により読み取られる情報を記録する情報記録部が設けられており、
前記現像剤収納体を備える現像剤収納容器を収容しかつ前記画像形成装置本体に対して前記現像剤収納体の前記平面部を固定する固定部材が設けられていることを特徴とする現像剤補給装置。
【請求項２】
前記袋状の現像剤収納体が折り目を有し、該現像剤収納体の内容物が減少するのに伴なって、前記現像剤収納体が前記折り目に沿って内側に折り畳まれることを特徴とする請求項１記載の現像剤補給装置。
【請求項３】
前記現像剤収納体が前記平面部を固定するための補強板を長手方向両端に設けていることを特徴とする請求項１又は２記載の現像剤補給装置。
【請求項４】
前記現像剤収納体の少なくとも一つの平面部に該現像剤収納体の他部よりも剛性を高くするための剛性強化部材を設けることを特徴とする請求項１乃至３のいずれか１項記載の現像剤補給装置。
【請求項５】
前記現像剤収納体の一つの平面部のみに該現像剤収納体の他部よりも剛性を高くするための剛性強化部材を設けることを特徴とする請求項１乃至３のいずれか１項記載の現像剤補給装置。
【請求項６】
前記現像剤収納体の向かい合う二つの平面部に該現像剤収納体の他部よりも剛性を高くするための剛性強化部材を設けることを特徴とする請求項１乃至３のいずれか１項記載の現像剤補給装置。
【請求項７】
請求項１乃至６のいずれか１項記載の現像剤補給装置を備えることを特徴とする画像形成装置。
【発明の詳細な説明】
【技術分野】
【０００１】
本発明は、トナーとキャリアからなる現像剤を現像装置へ供給するための現像剤収納容器を含む現像剤補給装置及びこの現像剤補給装置を備える画像形成装置に関するものである。
【背景技術】
【０００２】
一般に、複写機、プリンタ、ファクシミリなどの電子写真方式や静電記録方式などによる各種画像形成装置においては、感光体ドラムや感光体ベルトなどからなる潜像担持体上に画像情報に対応した静電潜像が形成され、現像装置によって現像動作が実行されて、可視像を得る。
このような現像動作を実行するにあたり、転写性、ハーフトーンの再現性、温度・湿度に対する現像特性の安定性などの観点から、トナーとキャリアからなる２成分現像剤を用いた磁気ブラシ現像方式が広く用いられている。
この種の画像形成装置では、画像の形成に伴ってトナーを消費して行くため、消費された量のトナーを順次補給する必要がある。そこで、画像形成装置ではトナーを収納した現像剤収納容器を設け、この現像剤収納容器から現像装置へ消費した分の現像剤（トナー）を補給するようにしている。
【０００３】
近年、トナーボトルやトナーカートリッジのトナー収納容器に情報記録部を設け、該情報記録部に収納されたトナーの適合機種、製造日、トナーの色、トナー残量等の情報を記録し、このような情報をトナーカートリッジの管理等に活用する技術が開発されている。
かかる技術は、その活用の範囲が大きな広がりを見せており、従来技術においても提案されかつ既に実施されている（例えば、特許文献１及び２参照）。
特許文献１には、トナーボトルやトナーカートリッジのトナー収納容器に情報記録部を設け、該情報記録部に収納されたトナーの適合機種、製造日、トナーの色、トナー残量等の情報を記録し、このような情報をトナーカートリッジの管理等に活用することが開示されており、このような情報記録部はその活用の範囲が大きな広がりを見せており、今後多くのトナーカートリッジ等に付設することが予想される。 
ところで、柔軟な材料から構成される現像剤収納袋を剛性のある外箱で覆ったバックインボックスタイプの現像剤収納容器を用いた画像形成装置が知られており既に実施されている。
かかる現像剤収納容器においても上記した情報記録部を設けているが、この情報記録部を設ける場合、現像剤収納容器がセットされたときに書き込まれている情報を確実に読み取ることができるように装置本体との間を導通状態にしなければならない。
よって、上記形式の現像剤収納容器ではフレキシブル容器がハードな外箱内に収納されており、その外箱に情報記録部を設けている。そして、現像剤収納容器がセットされた時、外箱を押える爪に情報記録部の電気的接点と導通する端子を設けることにより、セットされた現像剤収納容器の情報記録部が装置本体と確実に導通状態になる。
【特許文献１】特開２０００−２２１８６６公報
【特許文献２】特開２００６−３７２２公報
【発明の開示】
【発明が解決しようとする課題】
【０００４】
しかしながら、柔軟な材料から構成される現像剤収納容器をハードカバーで覆わずに用いようとすると、セットした時に確実に画像形成装置本体と導通状態となる情報記録部を設置することが困難であった。
例えば、特許文献２では、剛体製の画像形成装置本体との取り付け部材に情報記録部を設けることにより、画像形成装置本体と情報記録部との位置決めすることが可能となっている。
しかし、この場合、取り付け部材には現像剤の排出口が設けられており、情報記録部と排出口が近接していることから、排出口からの現像剤の飛散による記録部の汚染が避けられなかった。
そこで、本発明の目的は、上述した実情を考慮して、柔軟な容器に現像剤を収納するタイプであっても、この柔軟な容器をセットした時、情報記録部が現像剤による汚染を受けることなく、画像形成装置本体に確実に導通状態となる現像剤収納容器を有する現像剤補給装置及びこれを備えた画像形成装置を提供することにある。
【課題を解決するための手段】
【０００５】
上記の課題を解決するために、請求項１に記載の発明は、柔軟な材料で形成され内容物の減少によって容積を減じる袋状の現像剤収納体を備える現像剤補給装置において、前記現像剤収納体が少なくとも１つの平面部を有し、該平面部に画像形成装置本体により読み取られる情報を記録する情報記録部が設けられており、前記現像剤収納体を備える現像剤収納容器を収容しかつ前記画像形成装置本体に対して前記現像剤収納体の前記平面部を固定する固定部材が設けられていることを特徴とする現像剤補給装置を特徴とする。
また、請求項２に記載の発明は、前記袋状の現像剤収納体が折り目を有し、該現像剤収納体の内容物が減少するのに伴って、前記現像剤収納体が前記折り目に沿って内側に折り畳まれる請求項１記載の現像剤補給装置を特徴とする。
また、請求項３に記載の発明は、前記現像剤収納体が前記平面部を固定するための補強板を長手方向両端に設けている請求項１又は２記載の現像剤補給装置を特徴とする。
また、請求項４に記載の発明は、前記現像剤収納体の少なくとも一つの平面部に該現像剤収納体の他部よりも剛性を高くするための剛性強化部材を設けることを特徴とする請求項１乃至３のいずれか１項記載の現像剤補給装置を特徴とする。
また、請求項５に記載の発明は、前記現像剤収納体の一つの平面部のみに該現像剤収納体の他部よりも剛性を高くするための剛性強化部材を設けることを特徴とする請求項１乃至３のいずれか１項記載の現像剤補給装置。を特徴とする。
また、請求項６に記載の発明は、前記現像剤収納体の向かい合う二つの平面部に該現像剤収納体の他部よりも剛性を高くするための剛性強化部材を設けることを特徴とする請求項１乃至３のいずれか１項記載の現像剤補給装置を特徴とする。
また、請求項７に記載の発明は、請求項１乃至６のいずれか１項記載の現像剤補給装置を備える画像形成装置を特徴とする。
【発明の効果】
【０００６】
本発明によれば、柔軟な袋状の現像剤収納体からなる現像剤収納容器を備えた現像剤補給装置において、情報記録部が現像剤収納容器の取り付け部材の現像剤排出口からは遠く離れているために、現像剤収納体に記録された情報が現像剤に汚染されることなく画像形成装置によって正確に読み取られることが可能になる。
【発明を実施するための最良の形態】
【０００７】
以下、図面を参照して、本発明の実施の形態を詳細に説明する。図１は本発明を適用し得るタンデム型の中間転写装置を搭載したカラー画像形成装置である複写機の全体を示す概略図である。
カラー画像形成装置である複写機Ａは、概述すると、複写機本体１、この複写機本体１を載せる給紙テーブル２、複写機本体１上に取り付けるスキャナ３、このスキャナ３の上に取り付ける原稿自動搬送装置（ＡＤＦ）４を含んでいる。
複写機本体１には、中央に、無端ベルト状の中間転写体である中間転写ベルト１０を設ける。図１に示すとおり、中間転写ベルト１０は、３つの支持ローラ１４、１５、１６に掛け回して図中時計回りに回転搬送可能とする。
図示例では、中間転写ベルト１０を支持する３つの支持ローラのうちの第２の支持ローラ１５の左に、画像転写後に中間転写ベルト１０上に残留する残留トナーを除去する中間転写体クリーニング装置１７を設けている。
また、３つの支持ローラのうちの、第１の支持ローラ１４と第２の支持ローラ１５間に張り渡した中間転写ベルト１０上にはその搬送方向に沿って、ブラック、シアン、マゼンタ、イエロの４つの画像形成手段１８を横に並べて配置し、タンデム画像形成部２０を構成している。
このタンデム画像形成部２０の上には、図１に示すように、さらに露光装置２１を設けている。一方、中間転写ベルト１０を挟んでタンデム画像形成部２０と反対の側には、２次転写装置２２を備えている。
【０００８】
この２次転写装置２２は、図示例では、２つのローラ２３間に、無端ベルトである２次転写ベルト２４を掛け渡して構成し、中間転写ベルト１０を介して第３の支持ローラ１６に押し当てて配置し、中間転写ベルト１０上の画像を転写材に転写する。２次転写装置２２の横には、転写材上の転写画像を定着する定着装置２５を配置している。この定着装置２５は、無端ベルトである定着ベルト２６に加圧ローラ２７を押し当てて構成する。
上述した２次転写装置２２には、画像転写後の転写材を定着装置２５へと搬送する転写材搬送機能も備えてなる。もちろん、２次転写装置２２として、非接触のチャージャを配置してもよく、そのような場合は、この転写材搬送機能を併せて備えることは難しくなる。
なお、図示例では、このような２次転写装置２２及び定着装置２５の下に、上述したタンデム画像形成部２０と平行に、転写材の両面に画像を記録すべく転写材を反転する転写材反転装置２８を備える。
【０００９】
さて、いまこのカラー複写機を用いてコピーを採る時は、原稿自動搬送装置４の原稿台３０上に原稿をセットする。又は、原稿自動搬送装置４を開いてスキャナ３のコンタクトガラス３２上に原稿をセットし、原稿自動搬送装置４を閉じてそれで原稿を押さえる。
そして、図示してないスタートスイッチを押すと、原稿自動搬送装置４に原稿をセットした時は、原稿を搬送してコンタクトガラス３２上へと移動して後、他方、コンタクトガラス３２上に原稿をセットした時は、直ちにスキャナ３を駆動し、第１走行体３３及び第２走行体３４を走行する。
そして、第１走行体３３で光源から光を発射するとともに原稿面からの反射光をさらに反射して第２走行体３４に向け、第２走行体３４のミラーで反射して結像レンズ３５を通して読み取りセンサ３６に入れ、原稿内容を読み取る。
また、図示してないスタートスイッチを押すと、同じく図示してない駆動モータで支持ローラ１４、１５、１６の１つを回転駆動して他の２つの支持ローラを従動回転し、中間転写ベルト１０を回転搬送する。
同時に、個々の画像形成手段１８でその感光体ドラム４０を回転して各感光体ドラム４０上にそれぞれ、ブラック、イエロ、マゼンタ、シアンの単色画像を形成する。そして、中間転写ベルト１０の搬送とともに、それらの単色画像を順次転写して中間転写ベルト１０上に合成カラー画像を形成する。
【００１０】
一方、図示してないスタートスイッチを押すと、給紙テーブル２の給紙ローラ４２の１つを選択回転し、ペーパーバンク４３に多段に備える給紙カセット４４の１つから転写材を繰り出し、分離ローラ４５で１枚ずつ分離して給紙路４６に入れ、搬送ローラ４７で搬送して複写機本体１内の給紙路４８に導き、レジストローラ４９に突き当てて止める。
又は、給紙ローラ５０を回転して手差しトレイ５１上の転写材を繰り出し、分離ローラ５２で１枚ずつ分離して手差し給紙路５３に入れ、同じくレジストローラ４９に突き当てて止める。
そして、中間転写ベルト１０上の合成カラー画像にタイミングを合わせてレジストローラ４９を回転し、中間転写ベルト１０と２次転写装置２２との間のニップに転写材を送り込み、２次転写装置２２で転写して転写材上にカラー画像を記録する。
画像転写後の転写材は、２次転写装置２２で搬送して定着装置２５へと送り込み、この定着装置２５で熱と圧力とを加えて転写画像を定着して後、切り換え爪５５で切り換えることによって排出ローラ５６で排出し、排紙トレイ５７上にスタックする。
又は、切り換え爪５５で切り換えることによって転写材反転装置２８に入れ、そこで転写材を反転して再び転写装置へと導き、裏面にも画像を記録して後、その転写材を排出ローラ５６で排紙トレイ５７上に排出する。
一方、画像転写後の中間転写ベルト１０は中間転写体クリーニング装置１７において、画像転写後に中間転写ベルト１０上に残留する残留トナーを除去し、タンデム画像形成装置２０による再度の画像形成に備える。
【００１１】
図２は本発明の現像剤補給装置の１つの実施の形態を示す断面図である。図３は現像剤収納容器を示す外観斜視図である。図２の現像剤補給装置Ｂにおいて、現像剤（トナー）を収納する現像剤収納容器５８は、現像剤収納部である現像剤収納体５９と唯一の現像剤排出部７０ａを備えた取り付け部材７０とで構成されている。この現像剤収納容器５８の具体的な構成については後で詳述する。
画像形成装置本体に取り付けられた現像剤収納容器５８は、現像剤補給経路を介して図１のタンデム画像形成部２０に含まれる現像装置７１と連通され、その現像剤補給経路には取り付け部材７０に連結される連結部材としてのノズル８０、現像剤収納容器５８内の現像剤（トナー）を吸引力によって現像装置７１へ移送させる吸引手段としての粉体ポンプ６０及びノズル８０と粉体ポンプ６０を接続する柔軟なトナー移送用チューブ６５が設けられている。
現像装置７１はそのケーシング内部に搬送オーガと呼ばれる螺旋状のフィンを有するスクリュ７２、７３が矢印Ｃ、Ｄ方向に回転しており、この部分にはトナーとキャリアを混合した現像剤が入っている。搬送オーガは、例えば、スクリュ７２が現像剤を図中手前側から奥側へ搬送し、スクリュ７３が現像剤を奥側から手前側に搬送するように形成されている。
また、奥側と手前側には中央の仕切り７４の無い部分が設けられていることによって、現像剤が循環しながら攪拌される構成となっている。この循環する現像剤の一部が、現像ローラ７５によって磁力で吸い上げられて吸着され、ドクタブレード７６で均一の厚さに規制されてから像担持体４０に接触することでこの像担持体４０上の静電潜像をトナーで現像し、トナー像を形成する。
ここで、像担持体４０に付着するのはトナーのみであり、現像装置７１内で循環する現像剤中のトナーの量を一定に保つために、現像剤収納容器５８のトナーを少量ずつ補給しながら現像が行われる。
【００１２】
上記粉体ポンプ６０は、吸引型の１軸偏心スクリュポンプと呼ばれるものであり、ロータ６１とステータ６２の２つの主要部品を備えている。ロータ６１は、硬質の断面円形の軸状部材が螺旋状にねじれた形状に形成されており、モータ６６とユニバーサルジョイント６４を介して連結されている。
他方、ステータ６２はゴム状の柔軟な材料から作られて長円形の断面が螺旋状にねじれた形状の穴を有しており、また、ステータ６２の螺旋のピッチはロータ６１の螺旋のピッチの２倍の長さに形成されている。このような２つの部品を嵌合し、ロータ６１を回転することでロータ６１とステータ６２の間にできるようなスペースに入ったトナーを移送することができる。
このように構成された粉体ポンプ６０は、ロータ６１が回転駆動されると、現像剤収納容器５８のトナーがトナー吸引口６３から粉体ポンプ６０に入り、図２の左側から右側に吸引搬送されてトナー排出口６７からサブホッパ６８を介して下方の現像装置７１に供給される。
【００１３】
図３において、現像剤収納容器５８の現像剤（トナー）収納体５９は、軟包材と呼ばれる厚さ５０〜３００μｍ程度のフィルム状の樹脂を溶着して袋状に形成したものである。現像剤収納体５９を構成するフィルム状の樹脂は、材質の異なる複数の樹脂のフィルムを積層して１枚のフィルムとしたものを使用している。
袋状に形成した時に内側になる層には比較的低温で溶解する材質（ポリエチレン等）が用いられ、外側や中間の層には内容物の種類（固体、液体、粉体等）や目的（食品、医薬品等）等に合わせて、ＰＥＴ、ナイロン、アルミ 、紙等が用いられる。本実施の形態では、現像剤収納体５９は外側から内側に向かってＰＥＴ、ナイロン、ポリエチレンの３つの材質の複合材で構成されている。
現像剤収納体５９はフィルムで形成されているため、内容物の形や量の多少等に応じて変形可能であり、例えば、使い終わった現像剤収納体５９は小さく丸めて回収することができる。
また、現像剤収納体５９を含む現像剤収納容器５８を現像剤補給装置Ｂへ接続するために、現像剤収納体５９の下方には、成形樹脂で構成されかつシャッタ孔４１を有する取り付け部材７０が配置されている。この取り付け部材７０の詳細な説明は重要でないのでここでは省略する。
【００１４】
図３の本発明の１つの実施の形態である現像剤（トナー）収納容器５８についてさらに説明する。本発明の特徴として、現像剤収納容器５８の現像剤収納体５９の一面５９ａには、情報記録部７７が貼り付けられている。
本実施の形態の情報記録部７７は、薄板矩形のＩＤチップであって、表面には画像形成装置本体と電気的に導通する電気的接点である端子７８が設けられ、裏面には電装部品（図示せず）を有している。
端子７８は、現像剤収納容器５８が画像形成装置本体にセットされると、画像形成装置側の当接部（図示せず）と接触し、情報の読み書きができるようになっている。この情報記録部７７には、例えば、現像剤収納容器５８とこの現像剤収納容器５８内に収納されているトナー（現像剤）に適合する画像形成装置の機種、現像剤の色、製造日、現像剤残量等の情報が記録されている。
本発明では、情報記録部７７を現像剤収納体５９の一面５９ａに設け、現像剤排出口であるシャッタ孔４１から離れた位置に配置することによって、情報記録部７７が現像剤の飛散による汚染を受けることがない。
また、情報記録部７７が貼り付けられている面５９ａと同一面の左右両端には、これら端部の強度を上げるための補強板７９が設けられている。この補強板７９は現像剤収納体５９よりも剛性の高い材料で構成されており、現像剤収納体５９の外観寸法の外側へ一部が突き出ている。
【００１５】
図４は現像剤収納容器を収容するホルダ部材を示す概略斜視図である。図５はホルダ部材の１部分を形成する固定板を示す概略斜視図である。図６は図５の固定板を図４の線Ａ−Ａ’に沿って示す断面図である。図７は現像剤収納容器にノズルを挿入する前の状態を示す斜視図である。図８は現像剤収納容器にノズルを挿入した状態を示す斜視図である。
次に、現像剤（トナー）収納容器５８の画像形成装置本体への取り付けについて説明する。現像剤収納容器５８のセット部は、図４に示すように、画像形成装置本体内の適所の取り付け板ａに上部が図４の右側に数１０度傾いて開くホルダ部材９０が設けられている。
画像形成装置本体への現像剤収納容器５８の固定部材であるこのホルダ部材９０の画像形成装置本体側には、取り付け板ａに対向する固定板９１が設けられている。この固定板９１は現像剤収納容器５８の情報記録部７７が貼り付けられている面５９ａを画像形成装置側へ固定化するように配置されている。さらに、図５に示すように、固定板９１の両端には、ガイドレール９１aが設けられている。
このガイドレール９１aに上述した現像剤収納体５９の両端に設けた補強板７９の張出し部を差し込んでセットすることによって情報記録部７７が貼り付けられている面５９ａが固定板９１の面と密着し易くなり、常に押さえ付けられるような状態となる。
この状態で、現像剤が排出されるとともに現像剤収納体５９が減容（内容物が減少）する場合であっても情報記録部７７が貼り付けられている面は、補強板７９とガイドレール９１aによって画像形成装置本体側へ押さえ付けられた状態を維持するため、情報記録部７７の端子７８が画像形成装置側の当接部（図示せず）と近接し、電気的に導通する。
【００１６】
また、この補強板７９は、情報記録部７７が貼り付けられている面５９ａの両端のみに設けられているため、ユーザーがセット方向を誤ることなく、情報記録部７７と画像形成装置側の当接部を向かい合わせることが可能となっている。
また、ホルダ部材９０は、現像剤収納容器５８が完全に納まる大きさに形成され、底部近くで、図２で説明したノズル８０を収容し、このノズル８０が取り付け部材７０のシャッタ孔４１に差し込まれる構成になっている。
また、このノズル８０は、図７に示すような画像形成装置本体に支持されるノズル支持体８１に支持されており、ノズル８０は開いたホルダ部材９０を元へ戻す動作、すなわち、このホルダ部材９０を押して起こす（直立させる）動作に連動してシャッタ孔４１に差し込まれる。
この時、現像剤収納容器５８がホルダ部材９０の正しい位置に落とし込まれれば、図８に示すように、取り付け部材７０のシャッタ孔４１にノズル８０が差し込まれるとともに、ノズル８０と同様にノズル支持体８１に形成された両腕ガイド８２が現像剤収納容器５８の取り付け部材７０に形成されたガイド受け９２に係合される。
また、現像剤収納容器５８が正しくセットされると、図２に示すように、ノズル８０がシャッタ孔４１（図示せず）に挿入され、その分シャッタ９３が移動する。そして、ノズル８０の先端側の上部に形成された現像剤受け口８４が取り付け部材７０の内孔７０ａに連通する。
これによって、現像剤収納容器５８の現像剤（トナー）が現像装置７１へ補給可能な状態になる。また、現像剤収納容器５８を取り出すため、図４においてホルダ部材９０を左側に押せば、その動作に連動してノズル８０がシャッタ孔４１から抜け、シャッタ部材９３がシャッタ孔４１を塞ぐ。従って、ホルダ部材９０を傾けると現像剤収納容器５８は取り出し可能となる。
【００１７】
図９は本発明による現像剤収納容器の他の実施の形態を示す斜視図である。図９において、現像剤（トナー）収納容器５８の情報記録部７７が貼り付けられている面５９ａに、現像剤（トナー）収納体５９の他部よりも剛性を高くするための剛性強化部材９４（面５９ａ全面に設けているためこれと同じ部分を示している）が設けられ、さらに、この現像剤収納体５９の内容物の減容に従って、現像剤収納体５９自体が袋状形状の内側にそれに沿って折り畳まれるように折り目９５が設けられている。
これにより、現像剤収納体５９自体の減容に伴って、この現像剤収納体５９が上述した情報記録部７７が貼り付けられている面５９ａの方向へのみ折り目９５に沿って折り畳まれるため、情報記録部７７が貼り付けられている面は、補強板７９（図３）とガイドレール９１ａ（図５）によって画像形成装置本体側へ押さえ付けられている状態を維持し易くなる。
また、折り目９５は一方向へ減容することが可能となり、余分なシワを形成することがないため、トナー（現像剤）がシワに挟まることなく排出させることが可能である。
これらは単独であっても効果を発揮するが、組み合わせて併用することにより情報記録部７７が貼り付けられている面と固定板９１とが平行な面を形成し易くなり、情報記録部７７が画像形成装置側の当接部により近接し易くなる。
また、剛性強化部材９４は、現像剤収納体５９の情報記録部７７が貼り付けられている面と向かい合う面にも設けられていると、折り目９５に沿って一方向に折り畳まれる効果がさらに大きくなり、安定して情報記録部７７と画像形成装置側の当接部が密着するという効果の他に、ユーザーの交換時の作業性（交換後に廃棄する際に折り畳み易くなる）が良くなる効果が得られる。
【００１８】
図１０は使用に伴い減容する現像剤収納容器の減容前の状態を示す部分断面図である。図１１は使用に伴い減容する現像剤収納容器の減容後の状態を示す部分断面図である。
図１０において、本発明の情報記録部７７が貼り付けられている面の両端に設けた補強板７９（図ではガイドレール９１ａと重なっている）と、画像形成装置本体側に向かい合う固定板９１に設けられたガイドレール９１ａによって、現像剤収納容器５８が減容した場合（図１１）でも、この現像剤収納容器５８は画像形成装置本体側へ押さえ付けられた状態を維持する。
このため、情報記録部７７が画像形成装置側の当接部と近接し、電気的に導通する。また、現像剤収納容器５８の取り付け部材７０の現像剤排出口７０ａ（図示せず）からは遠く離れているために、現像剤の飛散による情報記録部７７の汚染が防止される。
【図面の簡単な説明】
【００１９】
【図１】本発明を適用し得るタンデム型の中間転写装置を搭載したカラー画像形成装置である複写機の全体を示す概略図である。
【図２】本発明の現像剤補給装置の１つの実施の形態を示す断面図である。
【図３】現像剤収納容器を示す外観斜視図である。
【図４】現像剤収納容器を収容するホルダ部材を示す概略斜視図である。
【図５】ホルダ部材の１部分を形成する固定板を示す概略斜視図である。
【図６】図５の固定板を図４の線Ａ−Ａ’に沿って示す断面図である。
【図７】現像剤収納容器にノズルを挿入する前の状態を示す斜視図である。
【図８】現像剤収納容器にノズルを挿入した状態を示す斜視図である。
【図９】本発明による現像剤収納容器の他の実施の形態を示す斜視図である。
【図１０】使用に伴い減容する現像剤収納容器の減容前の状態を示す部分断面図である。
【図１１】使用に伴い減容する現像剤収納容器の減容後の状態を示す部分断面図である。
【符号の説明】
【００２０】
Ａ  画像形成装置、Ｂ  現像剤補給装置、４０  像担持体、４１  現像剤排出口（シャッタ孔）、５８  現像剤収納容器、５９  現像剤収納体（袋状部材）、５９ａ  現像剤収納体の一面、６０  粉体ポンプ、７０  取り付け部材、７０ａ  現像剤排出口（シャッタ孔に通じる）、７１  現像装置、７７  情報記録部、７８  端子、７９  補強板、８０  ノズル、９０  固定部材（ホルダ部材）、９１  固定板、９１ａ  ガイドレール、９４  剛性強化部材
【図１】
2009258445.tif 000003
【図２】
2009258445.tif 000004
【図３】
2009258445.tif 000005
【図４】
2009258445.tif 000006
【図５】
2009258445.tif 000007
【図６】
2009258445.tif 000008
【図７】
2009258445.tif 000009
【図８】
2009258445.tif 000010
【図９】
2009258445.tif 000011
【図１０】
2009258445.tif 000012
【図１１】
2009258445.tif 000013